(57)【要約】      （修正有）【課題】小体積且つ良好な防水性を有するルアーカメラを提供する。【解決手段】ケース１０と、ケースの外側を撮像するケース内に配置されたマイクロカメラと、ケース内に配置され、マイクロカメラに電気的に接続された回路板および回路板に実装されたボタンスイッチを含む回路板ユニットと、ケース上に配置され、ケース内のボタンスイッチに対応する防水ボタン４０とを含み、防水ボタンは、ボタン本体、弾性の防水膜、および固定部材を含み、防水膜は、ケースの第１の開口をカバーし、且つ第１の開口に対応する位置に結合部を有し、結合部の陥凹は、ケースの内部に向かっており、ボタン本体は、結合部に連結し、第１の開口から突出し、固定部材は、防水膜を第１の開口に固定し、マイクロカメラは、防水ボタンを操作することによって記録の開始および停止を制御でき、且つ水がルアーカメラ１に浸入するのを防ぐ。【選択図】図１
0003216526.tif 000002
【実用新案登録請求の範囲】
【請求項１】
ケース、
前記ケースの外側を撮像する前記ケース内に配置されたマイクロカメラ、
前記ケース内に配置され、前記マイクロカメラに電気的に接続された回路板および前記回路板に実装されたボタンスイッチを含む回路板ユニット、および
前記ケース上に配置され、前記ケース内の前記ボタンスイッチに対応する防水ボタンを含み、
前記防水ボタンは、ボタン本体、弾性の防水膜、および固定部材を含み、前記防水膜は、前記ケースの第１の開口をカバーし、且つ前記第１の開口に対応する位置に結合部を有し、前記結合部の陥凹は、前記ケースの内部に向かっており、前記ボタン本体は、前記結合部に連結し、前記第１の開口から突出し、前記固定部材は、前記防水膜を前記第１の開口に固定し、前記マイクロカメラは、前記防水ボタンを操作することによって記録の開始および停止を制御でき、且つ水がルアーカメラに浸入するのを防ぐルアーカメラ。
【請求項２】
透明の防水栓を更に含み、前記防水栓は、前記ケースの第２の開口に連結し、且つ前記第２の開口を密閉し、前記マイクロカメラは、前記防水栓に実装され、前記防水栓を通して前記ケースの外側を撮像する請求項１に記載のルアーカメラ。
【請求項３】
少なくとも１つのＯリングが前記防水栓と前記第２の開口の間に配置され、前記第２の開口を介して水が前記ルアーカメラに浸入するのを防ぐ請求項２に記載のルアーカメラ。
【請求項４】
前記マイクロカメラは、フレキシブルプリント回路を介して前記回路板ユニットの前記回路板に電気的に接続され、前記防水栓は前記第２の開口に対して可動する、前記防水栓は、突出したタブを有し、前記マイクロカメラの撮像角度は、前記タブをトグルすることによって調節されることができる請求項３に記載のルアーカメラ。
【請求項５】
前記回路板は、デジタル画像処理装置および少なくとも１つの記憶部品を更に含み、前記デジタル画像処理装置は、前記回路板に実装され、前記マイクロカメラの出力画像信号をデジタル画像信号に変換し、前記少なくとも１つの記憶部品は、前記回路板に実装された、組み込み型マルチメディアカードおよび／または外部メモリカードを含み、前記デジタル画像信号のデータを保存する請求項１に記載のルアーカメラ。
【請求項６】
前記ケースに枢動可能に接続された防水カバーを更に含み、前記防水カバーは、開閉可能な方式で前記ケースの第３の開口を閉じることができ、前記外部メモリカードは、前記ケースに入り、前記第３の開口を介して前記回路板ユニットの前記回路板に電気的に接続されるか、または前記第３の開口を介して前記ケースを出る請求項５に記載のルアーカメラ。
【請求項７】
前記回路板ユニットは、充電電池およびコネクタを更に含み、前記充電電池は、前記回路板に電気的に接続され、前記コネクタは前記回路板に実装され、且つ前記第３の開口にポートを形成し、前記ポートを介して外部装置に連結し、且つ前記外部装置を介して前記充電電池を充電するか、または前記記憶部品に保存されたデジタル画像信号のデータを前記外部装置に出力する請求項６に記載のルアーカメラ。
【請求項８】
前記防水カバーの外側に可動的に取り付けられたヒレ状部品を更に含む請求項６に記載のルアーカメラ。
【請求項９】
前記第３の開口に面する前記防水カバー側に配置されるか、または前記防水カバーに面する前記第３の開口側に配置された防水リングを更に含み、前記第３の開口を介して水が前記ルアーカメラに浸入するのを防ぐ請求項６に記載のルアーカメラ。
【請求項１０】
前記回路板ユニットは、前記回路板に実装された青色発光ダイオードを更に含み、前記ケースを通して前記外部に青色光を発光する請求項１に記載のルアーカメラ。
【考案の詳細な説明】
【技術分野】
【０００１】
本出願は、２０１７年１月１２日に出願された中国実用新案登録番号第２０１７２００３７３１９．０号についての優先権を主張するものであり、これらの全ては引用によって本願に援用される。
【０００２】
本考案は、ルアーカメラに関するものであり、特に、小体積且つ良好な防水性を有するルアーカメラに関するものである。
【背景技術】
【０００３】
ルアーカメラは、水中環境を撮像し、特に疑似餌に惹きつけられる魚を撮像する疑似餌として用いられることができる。従って、これらのカメラは、スポーツフィッシャーマンと釣ファンに人気がある。水中撮像を達成するために、市販のルアーカメラは、防水でなければならず、通常、ルアー形状のケース（例えば、魚、みみず、または軟体動物などの形状のもの）の中に収容されている。しかしながら、そのような防水カメラを用いるコストは高く、ルアーカメラの価格は高い。また、ルアーカメラの寸法は、防水カメラの寸法によって制限されて縮小することができない。結果、疑似餌としての効果に影響する。
【考案の概要】
【考案が解決しようとする課題】
【０００４】
小体積且つ良好な防水性を有するルアーカメラを提供する。
【課題を解決するための手段】
【０００５】
現在の技術的な問題に基づいて、本考案の課題は、防水カメラを用いる必要がなく、それによって、体積を縮小させることができ、且つコストを減少させることができるルアーカメラを提供することである。また、ルアーカメラのケースにさまざまな防水機構を配置することによって、防水が効果的に提供され（即ち、水がルアーカメラに浸入するのを防ぐ）、使用者がカメラを操作しやすいようにさせる。
【０００６】
本考案のいくつかの実施形態によれば、ケース、マイクロカメラ、回路板ユニット、および防水ボタンを含むルアーカメラが提供される。マイクロカメラは、ケースの外側を撮像するケース内に配置される。回路板ユニットは、ケース内に配置される。回路板ユニットは、マイクロカメラに電気的に接続された回路板および回路板に実装されたボタンスイッチを含む。防水ボタンは、ケース上に配置され、ケース内のボタンスイッチに対応する。防水ボタンは、ボタン本体、弾性の防水膜、および固定部材を含む。防水膜は、ケースの第１の開口をカバーし、且つ第１の開口に対応する位置に結合部を有する。結合部の陥凹は、ケースの内部に向かっている。ボタン本体は、結合部に連結し、第１の開口から突出する。固定部材は、防水膜を第１の開口に固定する。マイクロカメラは、防水ボタンの操作を介して記録の開始および停止を制御でき、且つ水が前記ルアーカメラに浸入するのを防ぐ。
【０００７】
本考案のいくつかの実施形態によれば、ルアーカメラは、透明の防水栓（ｗａｔｅｒｐｒｏｏｆ  ｐｌｕｇ）を更に含む。防水栓は、ケースの第２の開口に連結し、且つ第２の開口を密閉する。マイクロカメラは、防水栓に実装され、防水栓を通してケースの外側を撮像する。
【０００８】
本考案のいくつかの実施形態によれば、少なくとも１つのＯリングが防水栓と第２の開口の間に配置され、第２の開口を介して水がルアーカメラに浸入するのを防ぐ。
【０００９】
本考案のいくつかの実施形態によれば、マイクロカメラは、フレキシブルプリント回路を介して回路板ユニットの回路板に電気的に接続され、防水栓は第２の開口に対して可動する、防水栓は、突出したタブを有し、マイクロカメラの撮像角度は、タブをトグルすることによって調節されることができる。
【００１０】
本考案のいくつかの実施形態によれば、回路板は、デジタル画像処理装置および少なくとも１つの記憶部品を更に含み、デジタル画像処理装置は、回路板に実装され、マイクロカメラの出力画像信号をデジタル画像信号に変換し、記憶部品は、回路板に実装された、組み込み型マルチメディアカード（ＥＭＭＣ）および／または外部メモリカードを含み、デジタル画像信号のデータを保存する。
【００１１】
本考案のいくつかの実施形態によれば、ルアーカメラは、ケースに枢動可能に接続された防水カバーを更に含み、防水カバーは、開閉可能な方式でケースの第３の開口を閉じることができる。外部メモリカードは、ケースに入り、第３の開口を介して回路板ユニットの回路板に電気的に接続されるか、または第３の開口を介してケースを出る。
【００１２】
本考案のいくつかの実施形態によれば、回路板ユニットは、充電電池およびコネクタを更に含み、充電電池は、回路板に電気的に接続される。コネクタは回路板に実装される。コネクタは、第３の開口にポートを形成する。コネクタは、ポートを介して外部装置に連結する。コネクタは外部装置を介して充電電池を充電するか、またはコネクタは、記憶部品に保存されたデジタル画像信号のデータを外部装置に出力する。
【００１３】
本考案のいくつかの実施形態によれば、ルアーカメラは、防水カバーの外側に可動的に取り付けられたヒレ状部品を更に含む。
【００１４】
本考案のいくつかの実施形態によれば、ルアーカメラは、第３の開口に面する防水カバー側に配置されるか、または防水カバーに面する第３の開口側に配置された防水リングを更に含み、第３の開口を介して水がルアーカメラに浸入するのを防ぐ。
【００１５】
本考案のいくつかの実施形態によれば、回路板ユニットは、回路板に実装された青色発光ダイオードを更に含み、ケースを通して外部に青色光を発光し、ルアーカメラに近づけるように魚群を引き付けることができる。
【００１６】
添付の図面とともに以下の本考案の様々な実施形態の詳細な説明を検討することで、本考案はより完全に理解できる。
【図面の簡単な説明】
【００１７】
【図１】図１は、いくつかの実施形態に係る、ルアーカメラの外観を示している。
【図２】図２は、一透視視点から見た図１のルアーカメラのケースとその内部の構成要素を示している。
【図３】図３は、別の透視視点から見た図１のルアーカメラのケースとその内部の構成要素を示している。
【図４】図４は、図１のケース上の防水ボタンとケース内のボタンスイッチとの位置関係を示している。
【図５】図５は、ケース上の防水カバーが開いているときのケースの図解である。
【図６】図６は、いくつかの実施形態に係る、ルアーカメラの上面図である。
【図７】図７は、いくつかの実施形態に係る、ルアーカメラの後方図である。
【考案を実施するための形態】
【００１８】
以下、いくつかの実施形態を参照して、本考案を更に説明する。これらの実施形態は本考案の範囲を限定するものではないことは理解されるべきである。
【００１９】
本開示は、種々の実施例において、参照符号および／または表示を繰り返し用いている。この繰り返しは、本開示を簡潔で明確にするためのものであり、それ自体が、種々の実施態様および／または議論された構造との間の関係を規定するものではない。また、図面は単に例示するためであり、図の形状、大きさ、または厚さは、説明を明確にするために縮尺通りに描かれない、または簡易化される可能性もある。また、本実施形態に示されない、または説明されないどの要素も、従来技術に公知の本考案の当業者に知られている要素とすることができる。
【００２０】
図１〜図３に示すように、本考案のいくつかの実施形態では、ルアーカメラ１は、魚形状ケース１０を含む。ケース１０の外観は、使用者の要求に応じて変えることができることは理解されるべきである。例えば、軟体動物（例えばタコなど）のように設計することができる。図１〜図３に見られるように、ケース１０は、第１のケース部１１および第２のケース部１２を含み、２つのケース部の形状は、対称であり、収容空間Ｒは、それらの内側に形成され、ルアーカメラ１の他の電子部品を収容する（詳細は後述する）。いくつかの実施形態では、第１と第２のケース部１１と１２の材料は、プラスチックまたはアクリル樹脂を含む。組み立ては、ネジＰ１を第１と第２のケース部１１と１２上のネジ穴Ｐ２に通すことによって完成することができる。
【００２１】
いくつかの実施形態では、うろこなどの模様がケース１０上に施され、且つ（または）ケース１０が本物の魚の外観をなすようにルアーカメラ１に色が塗られることもできる。
【００２２】
いくつかの実施形態では、第１の接続部Ｈ１とウェーブ板（ｗａｖｅ  ｂｏａｒｄ）Ｗは、ケース１０の前側Ｓ１に配置される。第１の接続部は、例えば、釣り糸を繋ぐ孔構造であり、ウェーブ板Ｗは、例えば、平坦構造であり、使用者が釣り糸を引っ張ったときに、（本物の魚が泳ぐように）ルアーカメラ１が水中で浮いたり沈んだりするようにさせる。また、少なくとも１つの第２の接続部Ｈ２は、ケース１０の下側Ｓ２に配置されることができ、第２の接続部Ｈ２は、例えば、釣り針を取り付ける孔構造であることができる。留意すべきことは、第１の接続部Ｈ１、第２の接続部Ｈ２、およびウェーブ板Ｗの位置と数量は図１〜図３の実施形態に限定されるものではなく、使用者の要求によって調整されることができる。
【００２３】
図２と図３に示されるように、マイクロカメラ２０と回路板ユニット３０は、ケース１０の収容空間Ｒに配置される。いくつかの実施形態では、マイクロカメラ２０の位置は、ケース１０の後側Ｓ３に近く、ケース１０の外側に向けて延伸した撮像光軸Ｏを有し、マイクロカメラ２０がケース１０の外側を撮像することができる。魚群は、通常、疑似餌の後を追うため、マイクロカメラは、魚群をより容易に撮像するために、ルアーカメラの後に設置されることは理解すべきである。しかしながら、本考案では、マイクロカメラの位置は、限定されず、実際の要求に応じて調整されることができる。回路板ユニット３０は、収容空間Ｒの中心に実質的に配置され、マイクロカメラ２０に電気的に接続されてマイクロカメラ２０に録画のための電力を提供し、マイクロカメラ２０の出力信号を処理する。
【００２４】
より具体的に言えば、いくつかの実施形態では、回路板ユニット３０は、回路板３１、デジタル画像処理装置（ＤＩＰ）３２、記憶部品３３、充電電池３４、およびボタンスイッチ３５を含む。マイクロカメラ２０は、フレキシブルプリント回路（ＦＰＣ）３６を介してカメラ接続端子３１Ａに電気的に接続されることができる。デジタル画像処理装置３２は、回路板３１に実装され、マイクロカメラ２０の出力画像信号をデジタル画像信号に変換する。記憶部品３３は、例えば、回路板３１に実装された、組み込み型マルチメディアカード（ＥＭＭＣ）であり、デジタル画像信号のデータを保存する。充電電池３４は、電池端子３４Ａを介して回路板３１に電気的に接続され、回路板３１とその上の電子部品に電力を提供することができる。ボタンスイッチ３５は、回路板３１の上に実装される。ボタンスイッチ３５を操作する（押す）ことによって、回路板３１とマイクロカメラ２０が電気的に接続されるかどうかを決め、マイクロカメラ２０の録画の開始と停止が制御されることができる。例えば、マイクロカメラ２０は、ボタンスイッチ３５が押されたとき録画を開始し、ボタンスイッチ３５が再度押されたとき、マイクロカメラ２０は、録画を停止することができる。回路板３１もその上に制御回路３７を含んで、全ての回路板ユニット３０とそれに接続されたマイクロカメラ２０の操作を制御することは理解されるべきである。
【００２５】
図１と図４に示すように、防水ボタン４０は、ケース１０の上に配置され、ケース１０の回路板３１の上のボタンスイッチ３５に対応する。防水ボタン４０は、ボタン本体４２、防水膜４４、および固定部材４６を含む。防水膜４４は、ケース１０上の開口１３（第１の開口）をカバーする。より具体的に言えば、防水膜４４は、例えば、開口１３の内側の形状と適合し、開口１３を緊密に密閉することができる弾性のシリコーン膜である。また、防水膜４４は、開口１３に対応する位置でケース１０の内部に向けて陥凹する結合部４４Ａを含む。ボタン本体４２は、例えば、結合部４４Ａに取り付けられた（例えば、密着方式または接着方式によって）リベット状のプラスチック部材であることができ、開口１３から突出する。固定部材４６は、例えば、プラスチックの止め環であり、ケース１０の内側に係合することができ、防水膜４４を開口１３に固定させることができる。また、ボタン本体４２と防水膜４４の結合部４４Ａは、固定部材４６を通って延伸することができる。
【００２６】
よって、使用者が防水ボタン４０を操作したとき（押したとき）（図４の矢印に示されるように）、ケース１０の回路板３１の上のボタンスイッチ３５も操作される（押される）。従って、マイクロカメラ２０は、録画の開始と停止が制御されることができる。例えば、マイクロカメラ２０は、防水ボタン４０が押されたとき録画を開始し、防水ボタン４０が再度押されたとき、マイクロカメラ２０は、録画を停止する。同時に、防水ボタン４０は、水がルアーカメラに浸入するのを防ぐことができる。留意すべきことはいくつかの実施形態では、防水ボタン４０は、ルアーカメラ１の魚眼位置に配置される（図１に示されるように）。従って、実用性に加えて、審美性の効果も有する。しかしながら、防水ボタン４０は、ボタンスイッチ３５の位置に対応することができ、ケース１０の他の位置に配置することもできる。
【００２７】
上述のように、前述の実施形態（図１〜図４）のルアーカメラ１は、水中撮像の機能を達成するのに防水カメラを必要としない。また、ルアーカメラ１では、防水カメラは、より小さくてより安価なマイクロカメラ２０と回路板ユニット３０で代替されるため、その体積とコストは減少される（販売価格も下げ、より多くの消費者を引きつける）。
【００２８】
より具体的に言えば、図２と図３に示すように、ケース１０の内側は、防水リングＧによってカバーされ、ルアーカメラ１の防水性を向上させる。防水リングＧの材料は、例えば、シリコーンである。また、重量バランスブロックＣは、ルアーカメラ１の適切な位置に配置され、ルアーカメラ１の重量のバランスをとることができる。重量バランスブロックＣは、例えば金属であることができる。
【００２９】
また、ルアーカメラの操作の便利性を向上させる、および／またはルアーカメラ１に付加機能を増加するために、以下の設計も本考案の実施形態に含まれる。
【００３０】
図２、図３、および図５に示すように、いくつかの実施形態では、回路板ユニット３０は、回路板３１に実装されるコネクタ３８（図３）、例えば、ユニバーサルシリアルバス（ＵＳＢ）コネクタを更に含む。また、開口１４（第３の開口）と防水カバー５０は、コネクタ３８に対応するケース１０の位置、例えば、ケース１０の上側Ｓ４に配置される。防水カバー５０は、ケース１０に枢動可能に接続され、開閉可能な方式で開口１４を閉じることができる。例えば、ラッチ部材５１は、防水カバー５０の上に配置される。防水カバー５０が閉じられたとき、ラッチ部材５１とケース１０の上の係合構造（図示されていない）は、結合されることができる。従って、防水カバー５０は、開口１４を緊密に密閉することができる。使用者が防水カバー５０を開けたいとき、防水カバー５０の上のラッチ部材５１だけが押され（図５の矢印に示されるように）、防水カバー５０と係合構造を分離させる。従って、防水カバー５０は、順調に開けられることができる（図５）。コネクタ３８のポート３８Ａは、開口１４に形成されることができる。
【００３１】
防水カバー５０が開けられたとき、コネクタ３８のポート３８Ａは、上述の設計によって、ルアーカメラを外部装置（例えば、コンピュータ、図示されていない）と接続させることができる。従って、外部装置は、ルアーカメラ１の充電電池３４を充電するのに用いられることができるか、または記憶部品３３に保存されたデジタル画像信号のデータは、外部装置に出力されることができる。防水カバー５０が閉じられたとき、開口１４を密閉し、水がルアーカメラ１に浸入するのを防ぐ。図２と図３に示されるように、防水カバー５０の防水性を向上させるために、防水リング５２は、開口１４に面する防水カバー５０側に配置されるか、または防水カバー５０に面する開口１４側に配置されることができる（図示されていない）。防水リング５２の材料は、例えば、シリコーンであることができる。従って、開口１４を介して水がルアーカメラに浸入するのを防ぐことができる。防水カバー５０の材料は、ケース１０の材料と同じであることができる。
【００３２】
図３に示されるように、いくつかの実施形態では、回路板ユニット３０は、ｍｉｃｒｏＳＤカードなど外部メモリカード３９（記憶部品）を更に含んで、デジタル画像処理装置３２からのデジタル画像信号のデータを保存することができ、ルアーカメラの記憶容量を増加させることができる。防水カバー５０が開けられたとき、外部メモリカード３９は、開口１４（第３の開口）を介してケース１０に入り、回路板ユニット３０の回路板３１に電気的に接続されることができるか、または開口１４を介してケース１０（ルアーカメラ）を出ることができ、その中のデータがカードリーダーによって読み込まれることができるようにする。留意すべきことは、いくつかの実施形態では、製造コストを減少するために、回路板３０の記憶部品３３は、内蔵されたマルチメディアカードまたは外部メモリカードのいずれかだけを用いることができる。
【００３３】
図２および図６に示されるように、いくつかの実施形態では、ヒレ状部品６０が防水カバー５０の外側に取り付けられる。ヒレ状部品６０は、防水カバー５０に可動的に取り付けられることができる。従って、水中でのルアーカメラの水泳方法および方向は、ヒレ状部品６０（図６の矢印に示されるように）を回動し、ルアーカメラの中心線Ａに対する角度を調整することによって更に変えられることができる。ヒレ状部品６０の材料は、シリコーンであることができる。
【００３４】
図２、図３、および図７に示すように、いくつかの実施形態では、マイクロカメラ２０に対応するケース１０の上の位置（例えば、ケース１０の後側Ｓ３）には、開口１５（第２の開口）および防水栓７０が含まれることができ、防水栓７０は、開口１５に連結されて、開口を密閉する。より具体的に言えば、防水栓７０の一側は、開口１５に挿入され、開口１５に係合され、開口１５を密閉する効果を達成する。防水栓７０の防水性を向上させるために、少なくとも１つのＯリング７２が防水栓７０と開口１５の間に配置されることができる。従って、開口１５を介して水がルアーカメラに浸入するのを防ぐことができる。
【００３５】
また、マイクロカメラ２０は、防水栓７０内に取り付けられる（固定される）ことができ、（透明の）防水栓７０を通してケース１０の外側を撮像することができる。防水栓７０は、アクリル樹脂材料を含むことができる。防水栓７０は、開口１５に対して可動する（即ち、回動）、防水栓７０は、突出したタブ７４を有する。留意すべきことは、防水栓７０内に取り付けられたマイクロカメラ２０は、フレキシブルプリント回路板３６を介して回路板３１に接続されるため、防水栓７０のタブ７４がトグル（ｔｏｇｇｌｅｄ）されたとき、マイクロカメラ２０とフレキシブルプリント回路３６も防水栓７０に沿って回転することができるということである。言い換えれば、マイクロカメラ２０は、タブ７４をトグルすることによって回転されることができ（図７の矢印に示されるように）、従って、その撮像角度を変えることができる。従って、ルアーカメラの性能を向上させる以外に、操作の楽しさも増加させることができる。
【００３６】
図２に示すように、いくつかの実施形態では、青色発光ダイオードＢは、回路板ユニット３０の回路板３１に含まれ、ケース１０を通して外部に青色光を発光し、ルアーカメラに近づけるように魚群を引き付けることができる。
【００３７】
要約すると、本考案では、防水カメラを用いることなく、体積縮小とコスト減少が達成されるルアーカメラが提供される。また、ルアーカメラのケースにさまざまな防水機構を配置することで、防水の効果が提供され（即ち、水がルアーカメラに浸入するのを防ぐ）、使用者がカメラを操作するのを助ける。
【００３８】
本考案は、例として及び望ましい実施の形態によって記述されているが、本考案は開示された実施形態に限定されるものではない。当業者には自明の種々の変更及び同様の配置をカバーするものである。よって、添付の実用新案登録請求の範囲は、最も広義な解釈が与えられ、全てのこのような変更及び同様の配置を含むべきである。
【符号の説明】
【００３９】
１  ルアーカメラ
１０  ケース
１１  第１のケース部
１２  第２のケース部
１３  開口（第１の開口）
１４  開口（第２の開口）
１５  開口（第３の開口）
２０  マイクロカメラ
３０  回路板ユニット
３１  回路板
３１Ａ  カメラ接続端子
３２  デジタル画像処理装置（ＤＩＰ）
３３  記憶部品
３４  充電電池
３４Ａ  電池端子
３５  ボタンスイッチ
３６  フレキシブルプリント回路（ＦＰＣ）
３７  制御回路
３８  コネクタ
３８Ａ  ポート
４０  防水ボタン
４２  ボタン本体
４４  防水膜
４４Ａ  結合部
４６  固定部材
５０  防水カバー
５１  ラッチ部材
５２  防水リング
６０  ヒレ状部品
７０  防水栓
７２  Ｏリング
７４  タブ
Ａ  中心線
Ｂ  青色発光ダイオード
Ｃ  重量バランスブロック
Ｇ  防水リング
Ｈ１  第１の接続部
Ｈ２  第２の接続部
Ｏ  撮像光軸
Ｐ１  ネジ
Ｐ２  ネジ孔
Ｒ  収容空間
Ｓ１  前側
Ｓ２  下側
Ｓ３  後側
Ｓ４  上側
Ｗ  ウェーブ板
【図１】
0003216526.tif 000003
【図２】
0003216526.tif 000004
【図３】
0003216526.tif 000005
【図４】
0003216526.tif 000006
【図５】
0003216526.tif 000007
【図６】
0003216526.tif 000008
【図７】
0003216526.tif 000009
【手続補正書】
【提出日】平成30年3月30日(2018.3.30)
【手続補正１】
【補正対象書類名】実用新案登録請求の範囲
【補正対象項目名】全文
【補正方法】変更
【補正の内容】
【実用新案登録請求の範囲】
【請求項１】
ケース、
前記ケースの外側を撮像する前記ケース内に配置されたマイクロカメラ、
前記ケース内に配置され、前記マイクロカメラに電気的に接続された回路板および前記回路板に実装されたボタンスイッチを含む回路板ユニット、および
前記ケース上に配置され、前記ケース内の前記ボタンスイッチに対応する防水ボタンを含み、
前記防水ボタンは、ボタン本体、弾性の防水膜、および固定部材を含み、前記防水膜は、前記ケースの第１の開口をカバーし、且つ前記第１の開口に対応する位置に結合部を有し、前記結合部の陥凹は、前記ケースの内部に向かっており、前記ボタン本体は、前記結合部に連結し、前記第１の開口から突出し、前記固定部材は、前記防水膜を前記第１の開口に固定し、前記マイクロカメラは、前記防水ボタンを操作することによって記録の開始および停止を制御でき、且つ水がルアーカメラに浸入するのを防ぐルアーカメラ。
【請求項２】
透明の防水栓を更に含み、前記防水栓は、前記ケースの第２の開口に連結し、且つ前記第２の開口を密閉し、前記マイクロカメラは、前記防水栓に実装され、前記防水栓を通して前記ケースの外側を撮像する請求項１に記載のルアーカメラ。
【請求項３】
少なくとも１つのＯリングが前記防水栓と前記第２の開口の間に配置され、前記第２の開口を介して水が前記ルアーカメラに浸入するのを防ぐ請求項２に記載のルアーカメラ。
【請求項４】
前記マイクロカメラは、フレキシブルプリント回路を介して前記回路板ユニットの前記回路板に電気的に接続され、前記防水栓は前記第２の開口に対して可動する、前記防水栓は、突出したタブを有し、前記マイクロカメラの撮像角度は、前記タブをトグルすることによって調節されることができる請求項３に記載のルアーカメラ。
【請求項５】
前記回路板は、デジタル画像処理装置および少なくとも１つの記憶部品を更に含み、前記デジタル画像処理装置は、前記回路板に実装され、前記マイクロカメラの出力画像信号をデジタル画像信号に変換し、前記少なくとも１つの記憶部品は、前記回路板に実装された、組み込み型マルチメディアカードおよび／または外部メモリカードを含み、前記デジタル画像信号のデータを保存する請求項１に記載のルアーカメラ。
【請求項６】
前記ケースに枢動可能に接続された防水カバーを更に含み、前記防水カバーは、開閉可能な方式で前記ケースの第３の開口を閉じることができ、前記外部メモリカードは、前記ケースに入り、前記第３の開口を介して前記回路板ユニットの前記回路板に電気的に接続されるか、または前記第３の開口を介して前記ケースを出る請求項５に記載のルアーカメラ。
【請求項７】
前記回路板ユニットは、充電電池およびコネクタを更に含み、前記充電電池は、前記回路板に電気的に接続され、前記コネクタは前記回路板に実装され、且つ前記第３の開口にポートを形成し、前記ポートを介して外部装置に連結し、且つ前記外部装置を介して前記充電電池を充電するか、または前記記憶部品に保存されたデジタル画像信号のデータを前記外部装置に出力する請求項６に記載のルアーカメラ。
【請求項８】
前記防水カバーの外側に可動的に取り付けられたヒレ状部品を更に含む請求項６に記載のルアーカメラ。
【請求項９】
前記第３の開口に面する前記防水カバー側に配置されるか、または前記防水カバーに面する前記第３の開口側に配置された防水リングを更に含み、前記第３の開口を介して水が
前記ルアーカメラに浸入するのを防ぐ請求項６に記載のルアーカメラ。
【請求項１０】
前記回路板ユニットは、前記回路板に実装された青色発光ダイオードを更に含み、前記ケースを通して外部に青色光を発光する請求項１に記載のルアーカメラ。